(57)【要約】【課題】給紙トレイの引き出し用指掛部で画像形成装置を持ち上げることを防止する。【解決手段】装置本体１への収容状態、手前側面１４から引き出し状態に配置可能な給紙トレイ４７を備える画像形成装置において、給紙トレイ４７は、引き出し側方向の端部に収納状態において手前側面１４と同一の平面をなす前面カバー４８備え、前面カバー４８には上側縁部４８ａから下側に向け切り欠いた開口部４９を形成し、前面カバー４８のうち開口部４９の下側部分を、給紙トレイ引き出し時に指を掛ける引き出し用指掛部９１とし、装置本体１には、収納状態における給紙トレイ４７の開口部４９から差し入れた指を掛ける持ち上げ用指掛部９３を形成した。【選択図】図１
2013140264.tif 000002
【特許請求の範囲】
【請求項１】
用紙に画像形成処理を施す画像形成手段を備えた装置本体と、
前記装置本体に用紙を供給する収容状態、および用紙を補給するため前記装置本体の側面から引き出し状態に配置可能であり、前記画像形成手段に供給する用紙を積載する給紙トレイと、
を備えた画像形成装置において、
前記給紙トレイは、引き出し側方向の端部に、前記装置本体への収納状態において前記装置本体の側面と同一平面をなす板状部材を備え、
前記板状部材には、上側縁部から下側に向けて切り欠いた開口部を形成し、前記板状部材のうち前記開口部の下側の部分を、前記給紙トレイを前記装置本体から引き出すときに指を掛ける引き出し用指掛部とすると共に、
前記装置本体には、画像形成装置を持ち上げる際、収納状態における前記給紙トレイの前記板状部材の前記開口部から差し入れた指を掛ける持ち上げ用指掛部を形成した、
ことを特徴とする画像形成装置。
【請求項２】
前記装置本体は４つの側面を備え、前記持ち上げ用指掛部を形成した側面と反対側に位置する対向側面に、画像形成装置を持ち上げる際に指を掛ける持ち上げ用指掛部を形成したことを特徴とする請求項１または２に記載の画像形成装置。
【請求項３】
前記装置本体の４つの側面のうち、前記持ち上げ用指掛部を形成した側面に隣接する２つの隣接側面のうち少なくとも一つの隣接側面に、画像形成装置を持ち上げる際に指を掛ける持ち上げ用指掛部を形成したことを特徴とする請求項１または２に記載の画像形成装置。
【請求項４】
前記持ち上げ用指掛部を、前記板状部材に形成した前記開口部と同じ位置に配置したことを特徴とする請求項１に記載の画像形成装置。
【請求項５】
前記持ち上げ用指掛部を、前記装置本体の内側に向かってへこむ凹部として形成したことを特徴とする請求項１から４のいずれかに記載の画像形成装置。
【請求項６】
前記持ち上げ用指掛部に凹凸部を設けたことを特徴とする請求項１から５のいずれかに記載の画像形成装置。
【請求項７】
前記持ち上げ用指掛部を同一の高さ位置に配置したことを特徴とする請求項２または請求項３に記載の画像形成装置。
【請求項８】
前記開口部の上下方向の寸法は、前記給紙トレイの下縁から前記装置本体の設置面までの隙間寸法より大きくしたことを特徴とする請求項１から７のいずれかに記載の画像形成装置。
【請求項９】
前記給紙トレイの引き出し用指掛部は、前記開口部から挿入した指を上側から掛ける形状としたことを特徴とする請求項１から８のいずれかに記載の画像形成装置。
【請求項１０】
前記装置本体内における用紙の搬送方向、およびこの搬送方向と直交する方向の２つの方向に前記給紙トレイを引き出すことを可能とする機構を備えたことを特徴とする請求項１から９のいずれかに記載の画像形成装置。
【発明の詳細な説明】
【技術分野】
【０００１】
本発明は、画像形成装置に係り、特に装置本体から引き出すことができる給紙トレイを備えた画像形成装置に関する。
【背景技術】
【０００２】
複写機、ファクシミリ、プリンター等の画像形成装置は、画像形成を行う用紙を格納する給紙トレイ（給紙カセット）を備える。給紙トレイは、用紙に画像形成処理を行う画像形成手段を備えた装置本体から引き出して用紙を補給する。このため、給紙トレイには、給紙トレイを引き出すに際して指を掛ける引き出し用指掛け部を備える。
【０００３】
また、近年画像形成装置は、装置の移動を前提として、小型化、軽量化がなされ、装置本体に装置を持ち上げ、移動するに際して指を掛ける、持ち上げ用指掛部を備える。このため、このような画像形成装置では、給紙トレイに引き出し用指掛部を、装置本体に持ち上げ用指掛部を備える。
【０００４】
特許文献１は、給紙トレイを保持して装置を運搬でき、装置本体から引き出し可能な給紙トレイと、画像形成装置を保持するように可動体を持ち上げたときに装置本体と給紙トレイとを互いに位置決めする位置決め手段と備えた画像形成装置を開示する。
【０００５】
また、特許文献２は、正確な画像読み取り処理を確保しつつ装置本体の持ち運びを容易に行えるようにするため、装置本体部とスキャナー部とを連結する中間フレームに取っ手部を設けた画像形成装置を開示する。
【発明の概要】
【発明が解決しようとする課題】
【０００６】
しかしながら、一般に装置本体の持ち上げ用指掛部は、装置本体の側面のうち給紙トレイの抜き出し方向と直交する側面に設けられていることが多い。この画像形成装置を建物の壁面近傍に配置すると、持ち上げ用指掛部が壁面に近接することとなり、画像形成装置の移動に際しては、持ち上げ用指掛部に指が届かない。そこで、持ち上げ用指掛部に指を掛けられる位置まで画像形成装置をずらさなければならなくなり、運搬に手間が掛かることとなる。
【０００７】
これに対処するため、持ち上げ用指掛部を給紙トレイの引き出し用指掛部が配置された側面に設けると、画像形成装置の持ち上げ時に引き出し用指掛部に誤って指を掛けてしまうことがある。すると、大きな荷重が掛かることを想定していない引き出し用指掛部に画像形成装置の荷重が掛かり、給紙トレイが破損してしまう。
【０００８】
本発明は上述の点にかんがみてなされたものであり、持ち上げ用指掛部を給紙トレイの引き出し用指掛部と同じ側面に配置しても、給紙トレイの引き出し用指掛部に指を掛けて画像形成装置を持ち上げてしまうことを防止できる画像形成装置を提供することを目的とする。
【課題を解決するための手段】
【０００９】
本発明に係る画像形成装置は、用紙に画像形成処理を施す画像形成手段を備えた装置本体と、前記装置本体に用紙を供給する収容状態、および用紙を補給する引き出し状態に配置可能であり、前記画像形成手段に供給する用紙を積載する給紙トレイと、を備えた画像形成装置において、前記給紙トレイは、引き出し側方向の端面に、前記装置本体への収納状態において前記側面と同一の面をなす板状部材を備え、前記板状部材には、その上側縁部から下側に向け切り欠いた開口部を形成し、前記板状部材のうち開口部の下側の部分を、前記給紙トレイを前記装置本体から引き出すとき指を掛ける引き出し用指掛部とすると共に、前記装置本体には、画像形成装置を持ち上げる際、収納状態における前記給紙トレイの板状部材の開口部から差し入れた指を掛ける持ち上げ用指掛部を形成したことを特徴とする。
【発明の効果】
【００１０】
本発明によれば、装置本体搬送用の持ち上げに際して、誤って引き出し用指掛部に指を掛けることを防止でき、画像形成装置を安全かつ容易に運搬することができる。
【図面の簡単な説明】
【００１１】
【図１】実施形態１に係る画像形成装置の内部機構を示す断面図である。
【図２】同画像形成装置の給紙トレイの要部を拡大して示す断面図である。
【図３】同画像形成装置を示す給紙トレイ側からの斜視図である。
【図４】同画像形成装置を示す図２とは反対側からの斜視図である。
【図５】同画像形成装置の給紙トレイを示す断面図である。
【図６】実施形態２に係る画像形成装置の給紙トレイの要部を拡大して示す断面図である。
【図７】実施形態３に係る画像形成装置を示す給紙トレイ側からの斜視図である。
【図８】同画像形成装置を示す図７とは反対側からの斜視図である。
【図９】実施形態４に係る画像形成装置を示す給紙トレイ側からの斜視図である。
【図１０】同画像形成装置の図９とは反対側からの斜視図である。
【発明を実施するための形態】
【００１２】
本発明を実施するための形態（以下では単に実施形態と記載する）に係る画像形成装置について説明する。
【００１３】
＜実施形態１＞
以下実施形態１に係る画像形成装置について説明する。まず画像形成装置の一般的な構成について説明する。図１は実施形態１に係る画像形成装置の内部機構を示す断面図である。実施形態１に係る画像形成装置１１０は、画像形成手段として電子写真方式を用いたカラー画像形成装置である。なお、画像形成手段は、単色のもの、インクジェットを用いたもの等を採用することができる。画像形成装置１１０は、画像形成手段である画像形成部３と、画像形成部３の下側に配置し、画像形成部３に用紙を供給する用紙供給装置１００とを備える。
【００１４】
用紙供給装置１００は、用紙束４１を収納した給紙トレイ４７と、この給紙トレイ４７の用紙束４１に上方から接触しつつ駆動して用紙束４１から分離した１枚の用紙を給送するための給送手段４とを備える。また、用紙供給装置１００は、給紙トレイ４７と給送手段４とを収納する給送装置本体１０を備える。なお、用紙束４１は、複数枚のシート状の用紙を積層して束としたものである。
【００１５】
給送手段４は、回転軸７５と、給紙ローラ４２と、この給紙ローラ４２に相対向する分離体としての分離パッド４３とを備える。給紙ローラ４２と分離パッド４３とで、給紙ローラ４２をその軸心回りに回転することで、給紙トレイ４７が収容した用紙束４１から１枚の用紙を搬送する。さらに、搬送ローラ４４、４５は、給紙トレイ４７から搬送した用紙をレジストローラ８１まで搬送する。そして、用紙の先端をレジストローラ８１とレジストテンションローラ８０のニップに突き当て、先端の整合を行う。
【００１６】
レジストローラ８１は、トナー像と用紙の転写位置を合わせるように回転する。画像形成部３は、水平方向に設置した転写ベルト装置５と、この転写ベルト装置５の上方に水平方向に並んで背設置した４つの画像形成ユニット３０Ｍ、３０Ｃ、３０Ｙ、３０Ｋとを有する。ここで、一つの画像形成ユニット３０Ｋについて説明する。画像形成ユニット３０Ｋは、像担持体としての感光体ドラム３１Ｋを備え、この感光体ドラム３１Ｋの外周側に、感光体ドラム３１Ｋの表面を帯電する帯電ローラ３２Ｋを備える。さらに画像形成ユニット３０Ｋは、感光体ドラム３１Ｋ上の静電潜像にトナーを現像する現像ローラ３３Ｋと、用紙にトナーを転写させる転写ローラ５０Ｋと、転写後の残トナーをかきとるクリーニング部（図示省略）等とを備える。他の画像形成ユニット３０Ｍ、３０Ｃ、３０Ｙも同様の構成を備える。
【００１７】
画像形成ユニット３０Ｍ、３０Ｃ、３０Ｙ、３０Ｋの上方には、露光手段としての光学ユニット２を配置する。光学ユニット２は、レーザー光を感光体ドラム３１へ照射する。転写ベルト装置５は、無端状の転写ベルト５４と、駆動ローラ５２、従動ローラ５１とを備え、転写ベルト５４が駆動ローラ５２および従動ローラ５１に掛け渡した構造を備える。
【００１８】
また、転写ベルト５４の上部走行辺の内側には、各画像形成ユニット３０Ｍ、３０Ｃ、３０Ｙ、３０Ｋの感光体ドラム３１にそれぞれ対向する位置に、転写バイアスを印加した転写ローラ５０を転写ベルト２１に接触するように配置する。このように、転写ベルト装置５を通過することによって、用紙に画像を転写する。そして、画像を転写した用紙を、定着装置６に搬送し、この定着装置６で画像を定着する。
【００１９】
定着装置６は、用紙に画像を定着する定着部材としての定着ローラ６０と、当該定着ローラ６０に対向して定着ニップを形成する対向部材としての加圧ローラ６１とを備える。また、定着ローラ６０内には加熱手段としてのヒータ（図示省略）を配置する。
【００２０】
加圧ローラ６１は、定着ローラ６０に対して所定の圧力で接触しており、互いの接触部において定着ニップを形成する。定着装置６において画像を定着した用紙を、排出装置７を介して装置本体１の上部の排出部１ａに反転排紙する。排出装置７は、搬送ローラ７２、７３、および排紙ローラ７０、７１を備える。なお、この装置本体１に手差しトレイ９を備える。
【００２１】
次に、用紙供給装置１００の給紙トレイ４７について説明する。図２は実施形態１に係る画像形成装置の給紙トレイの要部を拡大して示す断面図、図３は同画像形成装置を示す給紙トレイ側からの斜視図、図４は同画像形成装置を示す図３とは反対側からの斜視図である。
【００２２】
実施形態１に係る画像形成装置１１０は、図２および図３に示すように、装置本体１は、右側面１１、左側面１２、奥側面１３、および手前側面１４を備える。給紙トレイ４７は、装置本体１の４つの側面のうち手前側面８に設置する。給紙トレイ４７は、装置本体１に収納した収納状態と、装置本体１の手前側面８から引き出した引き出し状態とに配置できる。給紙トレイ４７が収納状態のとき給紙トレイ４７は画像形成部３に用紙を供給し、給紙トレイ４７が引き出し状態のとき、給紙トレイ４７に用紙を補給できる。
【００２３】
給紙トレイ４７には、その引き出し側端部に板状部材である前面カバー４８を配置する。この前面カバー４８は、収納状態で手前側面１４と同一平面をなす。また、前面カバー４８には、その上側縁部４８ａから下側に向け切り欠いた開口部４９を形成する。そして、前面カバー４８のうち開口部４９の下側の部分を、給紙トレイ４７を前記装置本体から引き出すとき指を掛ける引き出し用指掛部９１とする。引き出し用指掛部９１の下側には水平方向に延びる棚部９２を形成する。
【００２４】
収納状態にある給紙トレイ４７を引き出すとき、ユーザーは、指を開口部４９から差し込み、指を上方から引き出し用指掛部９１に掛ける。挿入された指は、上側から用指掛部９１の内側面に接触し、棚部９２で止まる。ユーザーは引き出し用指掛部９１に指を掛けて引き、給紙トレイ４７を引き出し状態とする。一方給紙トレイ４７を収納状態とするときには、ユーザーは前面カバー４８を押して、給紙トレイ４７を装置本体１内に押し入れる（図２中の矢印Ａ）。従って、この引き出し用指掛部９１は、上方から内側面に指を掛けて給紙トレイ４７を引くことができるだけであり、引き出し用指掛部９１を用いて画像形成装置１１０を持ち上げることはできない。
【００２５】
また、開口部４９の上側に位置する装置本体１には、画像形成装置１１０を持ち上げるための持ち上げ用指掛部９３を形成する。この持ち上げ用指掛部９３は、棚部９２と平行に配置した水平面として形成する。また、持ち上げ用指掛部９３には、手前側面１４の下縁１４ａに隣接して下方に延びる段部９４を形成する。この段部９４は、指が持ち上げ用指掛部９３から外れるのを防止する。ユーザーは、開口部４９から指を差し込み、持ち上げ用指掛部９３に指を掛けて画像形成装置１１０を持ち上げ、運搬することができる。
【００２６】
実施形態１に係る画像形成装置１１０では、引き出し用指掛部９１と持ち上げ用指掛部９３とを装置本体１の同じ箇所に配置したので、操作時に指を挿入するのに必要な領域を共通化でき、画像形成装置の省スペース化を図ることができる。
【００２７】
また、画像形成装置１１０では、手前側面１４と対向する奥側面１３に、奥側持ち上げ用指掛部９５を形成している。この奥側持ち上げ用指掛部９５は、奥側面１３に装置本体１内部側にへこんだ凹部を設けて構成する。
【００２８】
実施形態１に係る画像形成装置１１０を持ち上げるに際しては、開口部４９に指を差し入れ、持ち上げ用指掛部９３に指を掛けると共に、奥側持ち上げ用指掛部９５に指を掛ける。この動作は、給紙トレイ４７を引き出すため引き出し用指掛部９１に指を掛ける動作とは、全く異なるため、ユーザーの誤操作を防止することができる。よって、画像形成装置の持ち上げに際して、誤って引き出し用指掛部９１に指を掛けることを防止でき、画像形成装置を安全かつ容易に運搬することができる。
【００２９】
また、奥側面１３に奥側持ち上げ用指掛部９５を設けているので、画像形成装置１１０の運搬時、ユーザーは一人で画像形成装置を抱えことができる他、２人以上で画像形成装置１１０の両側から保持して運搬することができる。
【００３０】
次に、引き出し用指掛部９１、持ち上げ用指掛部９３、奥側持ち上げ用指掛部９５の高さ位置について説明する。実施形態に係る画像形成装置１１０では、給紙トレイ４７を、装置本体１から引き出すため、設置面Ｇから寸法ｂだけ離間して配置する。また、持ち上げ用指掛部９３を、引き出し用指掛部９１から寸法ａだけ上側に配置する。このとき、寸法ａより寸法ｂが大きいと、ユーザーは装置本体１と設置面Ｇとの隙間（寸法ｂ）を引き出し用指掛部９１に指を掛けるためのスペースと誤認する可能性がある。このため、実施形態１に係る画像形成装置１１０では、寸法ａと寸法ｂの関係を、ａ＞ｂとして、ユーザーの誤認を防止している。また、寸法ｂを、ユーザーの指が入らない程度の大きさとすることが望ましい。
【００３１】
また、持ち上げ用指掛部９３の設置面Ｇからの高さ寸法ｃａと、奥側面１３に設けた奥側持ち上げ用指掛部９５の指接触面（上側面）の設置面Ｇからの高さ寸法ｃｂとを同一とすることが望ましい。これにより、運搬時に画像形成装置１１０を設置状態と同じ水平状態で持ち上げることが容易となり、バランスを保ちやすくなる。
【００３２】
＜実施形態２＞
次に実施形態２に係る画像形成装置１２０について説明する。図６は実施形態２に係る画像形成装置の給紙トレイの要部を拡大して示す断面図である。実施形態２に係る画像形成装置は、奥側持ち上げ用指掛部９５に掛けた指の滑りを防止するため、凹凸部９６を配置している。なお、この例では、実施形態１に係る画像形成装置１１０の段部９４に相当する構成を設けていない。他の構成は、実施形態１に係る画像系背装置と同一である。持ち上げ用指掛部９３に形成する凹凸部９６は、持ち上げ用指掛部９３から下方に向け形成した凸部９６ａを５箇所に指の挿入方向に並べて配置したものである。なお、凹凸は三角形状等の他の断面形状とすることができる。実施形態２に係る画像形成装置１２０によれば、画像形成装置１２０を確実に持ち上げることができる。
【００３３】
＜実施形態３＞
次に実施形態３に係る画像形成装置１３０について説明する。図７は実施形態３に係る画像形成装置を示す給紙トレイ側からの斜視図、図８は同画像形成装置を示す図７とは反対側からの斜視図である。
【００３４】
実施形態３に係る画像形成装置１３０は、給紙トレイ４７を設置した奥側面１３に隣接する２側面、すなわち右側面１１および左側面１２に、それぞれ持ち上げ用指掛部９７、９８を形成したものである。なお、右側面１１および左側面１２の一方だけに持ち上げ用指掛部を設けることができる。
【００３５】
持ち上げ用指掛部９７、９８は、右側面１１および左側面１２の下端に指を挿入できる高さまで切欠部を設けることにより形成する。なお、持ち上げ用指掛部９７、９８は、右側面１１および左側面１２にへこむように設けた凹部とすることができる。
【００３６】
実施形態３に係る画像形成装置１３０によれば、装置本体１が建物等の壁面の近傍に設置され、いずれかの持ち上げ用指掛部にユーザーの手が届かない場合であっても、他の側面の持ち上げ用指掛部に指を掛けて画像形成装置１３０を運搬することができる。
【００３７】
＜実施形態４＞
次に実施形態４に係る画像形成装置について説明する。図９は実施形態４に係る画像形成装置を示す給紙トレイ側からの斜視図、図１０は同画像形成装置の図９とは反対側からの斜視図である。実施形態に係る画像形成装置１４０は、給紙トレイ４７を装置本体１の２方向、例えば手前側面１４および右側面１１から取り付ける構成を備えるものである。なお、図９では、右側面１１および手前側面１４の両側に給紙トレイ４７を記載しているが、右側面１１または手前側面１４のいずれか一方に給紙トレイ４７を配置する。
【００３８】
なお、手前側面１４からの給紙トレイ４７引き出し方向は、装置本体１内の用紙搬送方向に相当し、右側面１１からの給紙トレイ４７引き出し方向は、装置本体１内の用紙搬送方向と直交する方向に相当する。
【００３９】
そして、給紙トレイ４７には、実施形態１と同様に引き出し用指掛部９１を配置する。また、画像形成装置１４０の手前側面１４には持ち上げ用指掛部１４１を、右側面１１には、持ち上げ用指掛部１４２を、左側面１２には持ち上げ用指掛部１４３を、奥側面１３には持ち上げ用指掛部１４４を配置する。実施形態４に係る画像形成装置１４０によれば、給紙トレイ４７は装置本体１に対し直交する２方向（図９中の矢印ＡおよびＢ）に着脱可能である。
【００４０】
このため、実施形態４に係る画像形成装置１４０によれば、給紙トレイ４７をいずれの側面側に配置しても、前面カバー４８の開口部４９から持ち上げ用指掛部１４１、または持ち上げ用指掛部１４２に指を掛けることができる。このため、給紙トレイ４７に荷重を掛けることなく画像形成装置１４０を安全かつ確実に持ち上げることができる。また、操作時に指を挿入するのに必要な領域を共通化でき、画像形成装置の省スペース化を図ることができる。
【符号の説明】
【００４１】
１  装置本体
４７  給紙トレイ
４８  前面カバー
４８ａ  上側縁部
４９  開口部
９１  引き出し用指掛部
９２  棚部
９３  持ち上げ用指掛部
９４  段部
９５  奥側持ち上げ用指掛部
１１０  画像形成装置
【先行技術文献】
【特許文献】
【００４２】
【特許文献１】特開２００９−６９６６７公報
【特許文献２】特開２００９−２４４６７３公報
【図１】
2013140264.tif 000003
【図２】
2013140264.tif 000004
【図３】
2013140264.tif 000005
【図４】
2013140264.tif 000006
【図５】
2013140264.tif 000007
【図６】
2013140264.tif 000008
【図７】
2013140264.tif 000009
【図８】
2013140264.tif 000010
【図９】
2013140264.tif 000011
【図１０】
2013140264.tif 000012